(57)【要約】【課題】  電子機器の不良を容易に且つローコストに検出する。【解決手段】  デジタルカメラ３は、ＣＰＵ５、撮像機能部６、電圧電流検出部７、無線タグ８、操作部９、電源制御回路１０を備える。電圧電流検出部７は、デジタルカメラ３の各部の負荷に掛かる電流値及び電圧値を検出してその検出値データを無線タグ８に出力する。無線タグ８では、検出値データが正常又は異常のいずれかであるか判定され、異常検出値のときメモリ５８に書き込まれる。外部機器から制御信号を受けたとき、異常検出値を読み出し、無線タグ８のアンテナ５７を介して外部機器へ送信する。【選択図】        図２
2007024843.tif 000002
【特許請求の範囲】
【請求項１】
機器本体に組み込まれ、外部機器と無線で信号を送受信する無線タグと、各部の負荷に電力を供給する電力供給ラインに掛かる電流値及び電圧値の少なくとも一方を検出してその検出値データを出力する検出手段と、前記無線タグと前記検出手段との間を有線接続して前記検出値データを前記無線タグへ送信する通信手段とを備えており、前記外部機器からの制御信号を受けたときに前記検出手段から前記無線タグへ送信された検出値データを無線タグのアンテナから外部機器に送信することを特徴とする電子機器。
【請求項２】
電子機器の各部を構成する負荷に電力を供給する電力供給ラインに掛かる電圧値及び電流値の少なくとも一方を検出する検出処理と、この検出処理で検出された検出値が基準範囲内にある正常検出値、又は基準範囲外の異常検出値のいずれかであることを判定する判定処理と、この判定処理で異常検出値であると判定されたとき、電子機器に組み込まれた無線タグの記憶領域にその異常検出値を書き込む書き込み処理と、外部機器からの制御信号を受けたとき、前記異常検出値を読み出して前記無線タグを構成するアンテナから前記外部機器へ異常信号を無線で送信する送信処理とを行なうことを特徴とする電子機器の制御プログラム。
【請求項３】
電子機器に組み込まれた無線タグに制御信号を無線で送信する送信手段と、前記制御信号を受けた電子機器から、その電子機器の各部を構成する負荷に電力を供給する電力供給ラインに掛かる電圧値及び電流値の少なくとも一方を検出した検出値データに基づく信号が無線で送信されたとき、その信号を受信して前記検出値データを取得する受信手段と、これら送信手段及び受信手段を制御する制御手段とを備えたことを特徴とする不良判定装置。
【請求項４】
電子機器の各部を構成する負荷に電力を供給する電力供給ラインに掛かる電圧値及び電流値の少なくとも一方を検出した検出値データが記憶領域に出力された無線タグから前記検出値データを取得する不良判定装置の制御プログラムであって、
前記電子機器へ前記検出値データを要求する制御信号を送信する制御信号送信処理と、前記制御信号に応じて、前記電子機器に組み込まれた前記無線タグから発信された信号を受信して前記検出値データ取得するデータ受信処理とを前記不良判定装置に実行させることを特徴とする制御プログラム。
【請求項５】
電子機器の各部を構成する負荷に電力を供給する電力供給ラインに掛かる電圧値及び電流値の少なくとも一方を検出した検出値データが記憶領域に書き込まれた無線タグから前記検出値データを取得して、前記電子機器の不良状態を判定する不良判定装置の制御プログラムであって、
前記電子機器へ前記検出値データを要求する制御信号を送信する制御信号送信処理と、前記制御信号に応じて、前記電子機器に組み込まれた前記無線タグから前記検出値データが発信されたときにその検出値データを受信するデータ受信処理と、このデータ受信処理によって取得した検出値データと基準値データとを比較して判定を行なう判定処理とを前記不良判定装置に実行させることを特徴とする制御プログラム。
【請求項６】
機器本体に組み込まれ、外部機器と無線で信号を送受信する無線タグと、各部の負荷に電力を供給する電力供給ラインに掛かる電流値及び電圧値の少なくとも一方を検出してその検出値データを出力する検出手段と、前記無線タグと前記検出手段との間を有線接続して前記検出値データを前記無線タグへ送信する通信手段と、前記無線タグに送信された前記検出値データと基準値データとを比較して判定を行なう判定手段と、この判定手段によって前記検出値データが異常検出値であると判定されたとき、この異常検出値を継続保持して出力させる出力保持手段とを備えており、外部機器からの制御信号を受けたときに前記出力保持手段によって継続保持された異常検出値を前記無線タグのアンテナから外部機器に送信することを特徴とする電子機器。
【発明の詳細な説明】
【技術分野】
【０００１】
本発明は、電子機器に関するものであり、さらに詳しくは、不良箇所の検出を行なう電子機器、及び電子機器の不良を判定する不良判定装置、及び電子機器の制御プログラム、及び不良判定装置の制御プログラムに関するものである。
【背景技術】
【０００２】
近年、無線データ通信の一つの手段として安価な無線タグを利用した無線タグシステムが多く利用されている。この無線タグシステムは、無線タグとホスト側に接続される無線タグリーダとからなり、無線タグリーダから送信されるマイクロ波帯の電波を無線タグが受信して応答する。また、無線タグは、無線タグリーダとの間における電波を送受信するアンテナと、このアンテナを含む無線タグの各部を制御するプロセサ及びメモリなどが実装されたＩＣチップとを備えている。
【０００３】
さらに無線タグシステムでは、特許文献１に記載されているように、固有の電波しか発信しない簡易型無線タグと、ＩＣチップを構成するメモリに各種情報を記憶させて使用するインテリジェント型無線タグとがあり、簡易型無線タグは、例えば、売り場に陳列されている未会計の各商品にそれぞれ特殊な治具でしか取り外しできないように取り付けられ、売り場の出口近傍に備え付けられた万引き防止装置とともに万引き防止システムを構成する。万引き防止装置は、発信回路、受信回路、及び警報装置からなり、発信回路から発信される電波に無線タグが同調して送信される信号を受信回路が受信し、この受信回路が信号を受信したときに、警報装置が警報を発するようになっている。一方、インテリジェント型無線タグは、例えば売り場に陳列されている未会計の各商品にそれぞれ付着され、会計場に設置されたＰＯＳ（Ｐｏｉｎｔ  Ｏｆ  Ｓａｌｅｓ；販売時点情報管理）ターミナルなどの商品登録処理装置本体に接続された無線タグリーダ／ライタを介して各商品の無線タグに商品情報を入力して商品の売上データなどを登録処理することができる。
【特許文献１】特開２００３−１３４３８３号公報
【発明の開示】
【発明が解決しようとする課題】
【０００４】
ところで、近年、デジタルカメラなどの電子機器は、より複雑な構成になってきており、電子機器の使用中または工場から出荷される前の動作検証中に不具合などが発生した場合、その原因となる故障・不良箇所を発見して修理したり、故障部品を交換したりすることが非常に困難であり、手間がかかってしまう。すなわち、そのような故障・不良が発生した場合には、電子機器を分解、内部を露呈させてヒューズや抵抗など電子回路を構成する部品を調査するなどして故障・不良箇所の特定を行なわなければならないため、特殊な工具の使用や、作業者の技能を必要とする。これにより電子機器の修理作業には多くの手間と時間が掛かっていた。
【０００５】
また、電源を入れることもできない重大な故障なのか、あるいは電源オン状態にはなるものの満足な動作をすることができない状態なのかというように、故障・不良にもレベルがあり、このような故障・不良のレベルなどを見極めて適切な対応をするのは非常に難しい作業であり、熟練した作業者や専門の知識を持った人などが故障を診断して対応しなければならなかった。
【０００６】
本発明は、上記事情を考慮してなされたもので、電子機器の不良を容易に且つローコストに検出することができ、且つその故障・不良のレベルも知ることができる電子機器及び不良判定装置及び電子機器の制御プログラム及び不良判定装置の制御プログラムを提供することを目的とする。
【課題を解決するための手段】
【０００７】
上記目的を達成するため、請求項１に記載の電子機器では、機器本体に組み込まれ、外部機器と無線で信号を送受信する無線タグと、各部の負荷に電力を供給する電力供給ラインに掛かる電流値及び電圧値の少なくとも一方を検出してその検出値データを出力する検出手段と、前記無線タグと前記検出手段との間を有線接続して前記検出値データを前記無線タグへ送信する通信手段とを備えており、前記外部機器からの制御信号を受けたときに前記検出手段から前記無線タグへ送信された検出値データを無線タグのアンテナから外部機器に送信することを特徴とする。
【０００８】
また、請求項２に記載の電子機器の制御プログラムでは、電子機器の各部を構成する負荷に電力を供給する電力供給ラインに掛かる電圧値及び電流値の少なくとも一方を検出する検出処理と、この検出処理で検出された検出値が基準範囲内にある正常検出値、又は基準範囲外の異常検出値のいずれかであることを判定する判定処理と、この判定処理で異常検出値であると判定されたとき、電子機器に組み込まれた無線タグの記憶領域にその異常検出値を書き込む書き込み処理と、外部機器からの制御信号を受けたとき、前記異常検出値を読み出して前記無線タグを構成するアンテナから前記外部機器へ異常信号を無線で送信する送信処理とを行なうことを特徴とする。
【０００９】
請求項３に記載の不良判定装置では、電子機器に組み込まれた無線タグに制御信号を無線で送信する送信手段と、前記制御信号を受けた電子機器から、その電子機器の各部を構成する負荷に電力を供給する電力供給ラインに掛かる電圧値及び電流値の少なくとも一方を検出した検出値データに基づく信号が無線で送信されたとき、その信号を受信して前記検出値データを取得する受信手段と、これら送信手段及び受信手段を制御する制御手段とからなることを特徴とする。
【００１０】
請求項４に記載の不良判定装置の制御プログラムでは、電子機器の各部を構成する負荷に電力を供給する電力供給ラインに掛かる電圧値及び電流値の少なくとも一方を検出した検出値データが記憶領域に出力された無線タグから前記検出値データを取得する不良判定装置の制御プログラムであって、前記電子機器へ前記検出値データを要求する制御信号を送信する制御信号送信処理と、前記制御信号に応じて、前記電子機器に組み込まれた前記無線タグから発信された信号を受信して前記異常判定値のデータを取得するデータ受信処理とを前記不良判定装置に実行させることを特徴とする。
【００１１】
請求項５に記載の不良判定装置の制御プログラムでは、電子機器の各部を構成する負荷に電力を供給する電力供給ラインに掛かる電圧値及び電流値の少なくとも一方を検出した検出値データが記憶領域に書き込まれた無線タグから前記検出値データを取得して、前記電子機器の不良状態を判定する不良判定装置の制御プログラムであって、前記電子機器へ前記検出値データを要求する制御信号を送信する制御信号送信処理と、前記制御信号に応じて、前記電子機器に組み込まれた前記無線タグから前記検出値データが発信されたときにその検出値データを受信するデータ受信処理と、このデータ受信処理によって取得した検出値データと基準値データとを比較して判定を行なう判定処理とを前記不良判定装置に実行させることを特徴とする。
【００１２】
請求項６に記載の電子機器では、機器本体に組み込まれ、外部機器と無線で信号を送受信する無線タグと、各部の負荷に電力を供給する電力供給ラインに掛かる電流値及び電圧値の少なくとも一方を検出してその検出値データを出力する検出手段と、前記無線タグと前記検出手段との間を有線接続して前記検出値データを前記無線タグへ送信する通信手段と、前記無線タグに送信された前記検出値データと基準値データとを比較して判定を行なう判定手段と、この判定手段によって前記検出値データが異常検出値であると判定されたとき、この異常検出値を継続保持して出力させる出力保持手段とを備えており、外部機器からの制御信号を受けたときに前記出力保持手段によって継続保持された異常検出値を前記無線タグのアンテナから外部機器に送信することを特徴とする。
【発明の効果】
【００１３】
本発明の電子機器及び不良判定装置及び不良判定装置の制御プログラムでは、無線タグと、各部の負荷に電力を供給する電力供給ラインに掛かる電流値及び電圧値の少なくとも一方を検出してその検出値データを出力する検出手段と、前記無線タグと前記検出手段との間を有線接続して前記検出値データを前記無線タグへ送信する通信手段とを電子機器に備えるとともに、この電子機器に組み込まれた無線タグに制御信号を無線で送信する送信手段と、電子機器から信号が無線で送信されたとき、その信号を受信してデータを取得する受信手段と、これら送信手段及び受信手段を制御する制御手段とを不良判定装置に備えており、不良判定装置から電子機器へ検出値データを要求する制御信号を送信し、この制御信号を無線タグで受信した電子機器が、制御信号に応じた検出値データを送信して不良判定装置が検出値データを取得するようにしているので、作業者は、電子機器の不良状態を容易に且つ確実に知ることができ、さらに、電子機器を分解する必要がないので、作業に掛かる手間と時間を省いてローコストに不良状態のデータを取得することができる。
【００１４】
また、本発明の電子機器の制御プログラムでは、電子機器の各部を構成する負荷に電力を供給する電力供給ラインに掛かる電圧値及び電流値の少なくとも一方を検出する検出処理と、この検出処理で検出された検出値が基準範囲内にある正常検出値、又は基準範囲外の異常検出値のいずれかであることを判定する判定処理と、この判定処理で異常検出値であると判定されたとき、電子機器に組み込まれた無線タグの記憶領域にその異常検出値を書き込む書き込み処理と、外部機器からの制御信号を受けたとき、前記異常検出値を読み出して前記無線タグを構成するアンテナから前記外部機器へ異常信号を無線で送信する送信処理とを行なっているので、さらに容易に電子機器の不良状態を知ることが可能であり、作業に掛かる手間と時間を省いてローコストに不良状態のデータを取得することができる。
【００１５】
あるいは、本発明の電子機器では、各部を構成する負荷に電力を供給する電力供給ラインに掛かる電圧値及び電流値の少なくとも一方を検出し、この検出値データが異常検出値であると判定されたとき、この異常検出値を継続保持して出力させる出力保持手段を備えており、外部機器からの制御信号を受けたときに出力保持手段によって継続保持された異常検出値を無線タグのアンテナから外部機器に送信しているので、電子機器の動作検証などを行なう必要がなく、さらに容易に且つローコストに電子機器の不良状態を知ることが可能である。
【発明を実施するための最良の形態】
【００１６】
以下、図面を参照して本発明の第１の実施形態を適用した不良検出システムについて説明する。この不良検出システム２は、図１に示すように、不良検出の対象となるデジタルカメラ（電子機器）３と、このデジタルカメラ３に組み込まれた無線タグ８からデータの読み出しを行なうパーソナルコンピュータ（外部機器）（不良判定装置）４とからなる。
【００１７】
デジタルカメラ３の電気的構成は、図２のブロック図に示すように、各部の全体的な制御を行なうＣＰＵ５と、撮像機能部６と、各部の電圧値及び電流値を検出する検出部７と、無線タグ８と、操作部９と、電源制御回路１０とからなり、これらは図示しない回路基板上に実装されている。撮像機能部６は、撮像レンズ１１、ＣＣＤ１２、相関二重サンプリング回路（ＣＤＳ）１３、増幅器（ＡＭＰ）１４、Ａ／Ｄ変換器１６、レンズモータ１７、モータドライバ１８、タイミングジェネレータ１９、画像入力コントローラ２１、画像信号処理回路２２、圧縮回路２３、ＬＣＤドライバ２６、ＬＣＤモニタ２７、ＡＦ／ＡＥ／ＡＷＢ処理回路２８、システムメモリ２９、メディアコントローラ３３、電源制御回路３４、音声入力回路３６、マイク３７、音声出力回路３８、スピーカ３９、及びデータバス４０からなる。
【００１８】
撮像レンズ１１には、ズームレンズ、フォーカスレンズ及び絞りなどが含まれ、これらの移動は、レンズモータ１７の駆動によって行なわれる。レンズモータ１７は、モータドライバ１８に接続されており、モータドライバ１８は、デジタルカメラ３の全体的な制御を行うＣＰＵ５に接続されている。ＣＰＵ５は、モータドライバ１８を制御することで、レンズモータ１７を駆動させる。
【００１９】
撮像レンズ１１の背後には、ＣＣＤ１２が配置されている。撮像レンズ１１は、このＣＣＤ１２の受光面に被写体像を結像させる。ＣＣＤ１２は、撮像レンズ１１によって撮像面に結像された被写体像を光電変換して撮像信号を出力する。このＣＣＤ１２は、タイミングジェネレータ１８に接続され、タイミングジェネレータ１８はＣＰＵ５に接続されている。そして、ＣＰＵ５がタイミングジェネレータ１８を制御することにより、タイミング信号（クロックパルス）を発生させる。ＣＣＤ１２は、このタイミングジェネレータ１８から入力されるタイミング信号によって駆動する。
【００２０】
ＣＣＤ１２から出力された撮像信号は、ＣＤＳ１３に入力され、ＣＣＤ１２の各セルの蓄積電荷量に正確に対応したＲ、Ｇ、Ｂの画像データとして出力される。ＣＤＳ１３から出力された画像データは、ＡＭＰ１４で増幅され、Ａ／Ｄ変換器１６でデジタルの画像データに変換される。
【００２１】
画像入力コントローラ２１は、データバス４０を介してＣＰＵ５に接続され、ＣＰＵ５の制御命令に応じて、ＣＣＤ１２、ＣＤＳ１３、ＡＭＰ１４、およびＡ／Ｄ変換器１６を制御する。Ａ／Ｄ変換器１６から出力された画像データは、システムメモリ２９に一時記録される。
【００２２】
画像信号処理回路２２は、システムメモリ２９から画像データを読み出して、階調変換、γ補正処理などの各種画像処理を施し、この画像データを再度システムメモリ２９に記録する。システムメモリ２９に一時的に格納された画像データは、ＬＣＤドライバ２６でアナログのコンポジット信号に変換され、ＬＣＤモニタ２７にスルー画像として表示される。
【００２３】
圧縮伸長処理回路２３は、画像信号処理回路２２で画像処理を施された画像データに対して、所定の圧縮形式（例えばＪＰＥＧ形式）で画像圧縮を施す。圧縮された画像データは、メディアコントローラ３３を経由して記録メディア３８、例えばメモリカードなどに記憶される。
【００２４】
さらにデータバス４０には、ＡＦ／ＡＥ／ＡＷＢ検出回路２８が接続されている。ＡＦ／ＡＥ／ＡＷＢ処理回路２８は、画像データに基づいて露出演算、焦点位置演算、及びホワイトバランス量演算を行う。この露出演算では、例えばＡ／Ｄ変換器１６から出力された画像データの輝度レベルを１画面分積算し、この積算値を露出情報として、データバス４０を介してＣＰＵ５に出力する。また、このＡＦ／ＡＥ／ＡＷＢ検出回路２８が自動焦点位置検出をする際には、例えば撮像信号から輝度レベルの高域成分のみを抽出して積算し、この積算値を焦点評価値として、ＣＰＵ５に出力する。さらにまたＡＦ／ＡＥ／ＡＷＢ検出回路２８は、画像データからホワイトバランス量を検出してＣＰＵ５に出力する。ＣＰＵ５は、ＡＦ／ＡＥ／ＡＷＢ検出回路２８から送信された検出結果に基づいて、モータドライバ１８及びタイミングジェネレータ１９の動作を制御してシャッタ速度、絞り値、及びホワイトバランス量などを最適な値に調節する。
【００２５】
システムメモリ２９は、ＲＯＭやＲＡＭなどからなり、デジタルカメラ３を制御するための各種のプログラムや設定情報などを格納するとともに、ＣＰＵ５が読み出したプログラムや、取得した各画像データなどを一時的に記憶するバッファとして機能する。
【００２６】
また、データバス４０には、音声入力回路３６を介してマイク３７が、音声出力回路３８を介してスピーカ３９が接続されており、音声入力回路３６及び音声出力回路３８は、マイク３７及びスピーカ３９の駆動をそれぞれ制御して音声の入出力を行なう。
【００２７】
電源制御回路１０は、バッテリ４５と接続されており、例えば、電源ノイズを除去するためのフィルタや過電流を防止するためのリミッタ（図示せず）、及びＤＣ／ＤＣコンバータ４６からなり、バッテリ４５からの電力をＤＣ／ＤＣコンバータ４６を通してデジタルカメラ３の各部に供給する。
【００２８】
電圧電流検出部７は、デジタルカメラ３の各部を構成する負荷５０（図３及び図４参照）に掛かる電圧値及び電流値を監視して、その検出結果を後述する無線タグ８に出力する。この電圧電流検出部７を構成する電流検出回路５２及び電圧検出回路５３は、例えば図３及び図４に示す構成となっており、ＤＣ／ＤＣコンバータ４６から各部の負荷５０に電力を供給する電力供給ライン５１が設けられており、この電力供給ライン５１の途中に電流検出回路５２、及び電圧検出回路５３が設けられている。また、図３に示すように、電力供給ライン５１には、電流検出回路５２の位置に合わせて分圧抵抗５４が設けられており、電流検出回路５２は、分圧抵抗５４における電圧降下から負荷５０に流れる電流を検出することができる。このような構成の電圧検出回路５２及び電流検出回路５３は、電力供給ライン５１から電流値及び電圧値をそれぞれ検出して無線タグ８へと出力する。
【００２９】
なお、電圧電流検出部７で電流値・電圧値が検出される対象の負荷５０としては、例えばモータ１７、モータドライバ１８、タイミングジェネレータ１９などの駆動機構を構成する部品、あるいはＣＰＵ５などであり、これらへの電力供給ライン５１に検出回路５２，５３が設けられている。
【００３０】
なお、本実施形態においては、電圧電流検出部７が各部の電流値及び電圧値を検出するモードとして、第１及び第２動作検証モードの２つのモードが設定されており、第１動作検証モードでは、デジタルカメラ３の各部を構成する負荷に電力が印加され始めた電源印加時からデジタルカメラ３の各部が起動して動作可能な電源オン状態の時までの電流値及び電圧値を検出する。そして、第２動作検証モードでは、デジタルカメラ３が電源オン状態後、デモ動作を行なっている際の電流値及び電圧値を検出する。なお、この第２動作検証モードでは、デジタルカメラ３の各部機構がデモ動作、すなわち、通常使用時と同様の駆動パターンで動作し、このデモ動作の間に検出部による電圧値及び電流値の検出が行なわれる。また、これら第１及び第２動作検証モードの切り替えは、デジタルカメラ３の操作部９を操作したときに行なわれ、例えば通常使用時の操作入力とは異なる隠しコマンドのような入力を行なったときに切り替えが行なわれるようにすることが好ましい。
【００３１】
無線タグ８は、ＩＣチップ５６及びアンテナ部５７からなり、ＩＣチップ５６は、メモリ５８、送受信回路（送信手段）（受信手段）５９及びプロセサ６０からなる。メモリ５８としては、不揮発性の半導体素子であるＥＥＰＲＯＭなどが使用される。このメモリ５８には、デジタルカメラ３の固有情報が予め記憶されているとともに、後述する動作検証モードのときに電圧電流検出部７によって検出された各部の電流値・電圧値が書き込まれる。アンテナ部５７は、読み出し装置（外部機器）４から送信される電波を受信して送受信回路５９に出力するとともに、送信回路５９で生成される信号に基づく電波を発信する。ＩＣチップ５６は、電圧電流検出部７と有線接続されており、電圧電流検出部７が検出した各部の検出値データが送信されてくる。プロセサ６０は、これらのデータをメモリ５８に一時的に書き込む書き込み処理、また検出値データが正常及び異常のいずれかを判定する判定処理、および後述する制御信号を受けたときにメモリから読み出して、送受信回路５９によって信号化してアンテナ部５７から発信させる送信処理と行なう。なお、この無線タグ８のサイズは、数ｍｍ四方程度の大きさで、厚みもコンマ数ｍｍ程度であるため、デジタルカメラ（電子機器）３の筐体内部に取り付けても場所を取ることはない。
【００３２】
パーソナルコンピュータ（外部機器）（不良判定装置）４は、図５に示すような構成となっており、ＣＰＵ（制御手段）７１と、無線タグ８との電波の送受信を行なうアンテナ７２と、送受信回路７３と、ＬＣＤドライバ７４と、ＬＣＤ７６（図１参照）と、操作部７７と、システムメモリ７８と、データバス７９とを備える。ＣＰＵ７２は、操作部７７の操作によって不良検出の結果を取得する命令が入力されると、送受信回路７３を制御し、アンテナ７２を介して制御信号を電波として送信する。さらにアンテナ７２は、無線タグ８のメモリ５８から読み出されて発信された検出値データに基づく信号を受信する。この検出値データに基づく信号を受信したとき、ＣＰＵ７１は、その検出値データから正常及び異常の判定を行い、その結果をＬＣＤドライバ７４を介してＬＣＤ７６に表示する。作業者はＬＣＤに表示された判定結果からデジタルカメラ（電子機器）の状態を認識する。また、システムメモリ７８には、デジタルカメラ３が正常に動作しているときの検出値データに相当する基準値データが、予め格納されている。なお、このデジタルカメラ３からの検出値データの読み出し、及びデータに基づく正常及び異常の判定を行なう外部機器としてはパーソナルコンピュータに限るものではない。
【００３３】
上記構成の作用について図６〜８に示すフローチャートを参照して説明する。本実施形態のデジタルカメラ３では、上述したように電源印加時から電源オン状態までの第１動作検証モードと、電源オン状態後の第２動作検証モードとがあり、それぞれのモードを図６及び図７に示すフローチャートに沿って説明する。先ず、第１動作検証モードで異常検出を行なうときのシーケンスを図６に沿って説明する。操作部９を操作して第１動作検証モードに切り替えると、バッテリ４５が電源制御回路１０と電気的に接続状態になり、ＣＰＵ５や撮像機能部６などデジタルカメラ３の各部を構成する負荷に電力が印加される。そして電圧電流検出部７が起動状態となり、各部の負荷に掛かる電圧値及び電流値を監視する。
【００３４】
電圧電流検出部７によって検出された各部の電圧値及び電流値の検出値データは順次無線タグ８へと送信されていく、無線タグ８のプロセサ６０では、これらの検出値データと、予め設定された基準値とを比較して、基準範囲内にあるときには、正常検出値であると判定し、基準範囲から外れているときには、異常検出値であると判定する。そしてこの判定処理によって異常検出値であると判定されたときには、メモリ５８にそのデータを書き込む。
【００３５】
次にデジタルカメラ３の各部が起動して動作可能な電源オン状態となって、電圧電流検出部７が各部の負荷に掛かる電圧値及び電流値を監視する。そして、電圧電流検出部７で検出された各部の電圧値及び電流値の検出値データは、電源印加時と同様に順次無線タグ８へと送信され、正常及び異常いずれかの判定処理が行なわれ、異常検出値であると判定されたときには、メモリ５８にそのデータを書き込む。
【００３６】
次に、第２動作検証モードで異常検出を行なうときのシーケンスについて図７に沿って説明する。操作部９を操作して第２動作検証モードに切り替えると、デジタルカメラ３の各部が起動して電源オン状態となり、各機構がデモ動作を開始すると、電圧電流検出部７が各部の負荷に掛かる電圧値及び電流値の監視を開始する。
【００３７】
そして、電圧電流検出部７によって検出された電圧値及び電流値の検出値データは順次無線タグ８へと送信されていく、無線タグ８のプロセサ６０では、これらの電圧値及び電流値を予め設定された基準値と比較して、正常及び異常いずれかの判定処理を行なう。そしてこの判定処理によって異常検出値であると判定されたときには、メモリ５８にそのデータを書き込む。一方、プロセサ６０で全ての検出値データが正常であると判定であると判定されたときには、メモリ５８に異常なしを示すデータを書き込む。
【００３８】
次に、作業者がパーソナルコンピュータ（不良判定装置）（外部機器）４を操作してデジタルカメラ３から検出された検出値データを取得し、さらにこの検出値データに基づいて判定処理をするときのシーケンスを図８に示すフローチャートに沿って説明する。なお、このパーソナルコンピュータ４では、上述したデジタルカメラ３の第１及び第２動作検証モードにそれぞれ対応する検出値データの取得を行なうように設定されており、先ず作業者は、いずれのモードにおける検出値データを取得するのかの選択入力を行なうことから開始する。
【００３９】
そして、操作部７７を操作して第１動作検証モードに対応した検出値データの取得を選択すると、デジタルカメラ３が第１動作検証モードで検出した検出値データと比較するための基準値データをシステムメモリ７８から読み出す。そして、この基準値データの読み出しを終えると、ＣＰＵ７１は送受信回路７３を制御して第１動作検証モードにおける検出値データをデジタルカメラ３に要求する制御信号をアンテナ７２から発信させる。そして、デジタルカメラ３は無線タグ８のアンテナ５７により制御信号を受信する。無線タグ８のプロセサ６０は、コンピュータ４からの制御信号を受けると、第１動作検証モードで検出された電圧値及び電流値の検出値データをメモリ５８から読み出し、この検出値データに基づく信号をアンテナ５７から送信する。コンピュータ４は、この信号を受信してデジタルカメラ３の第１動作検証モードにおける検出値データを取得する。そして先程読み出した基準値データと、デジタルカメラ３の第１動作検証モードにおける検出値データとを比較して、デジタルカメラ３が正常状態又は異常状態のいずれかにあるかを判定する。
【００４０】
また、作業者は、第１動作検証モードにおける検出値データの取得が終了すると、続けて第２動作検証モードにおける検出値データの取得をするように操作部７７を操作して選択入力を行なう。そしてＣＰＵ７１はこのデジタルカメラ３における第２動作検証モードで検出した検出値データと比較するための基準値データをシステムメモリ７８から読み出す。この基準値データの読み出しを終えると、第２動作検証モードにおける検出値データを要求する制御信号を発信する。この制御信号をデジタルカメラ３の無線タグ８が受信すると、第２動作検証モードにおける検出値データをメモリ５８から読み出し、この検出値データに基づく信号をアンテナ５７から送信する。コンピュータ４は、この信号を受信してデジタルカメラ３の第２動作検証モードにおける検出値データを取得する。そして先程読み出した基準値データと、デジタルカメラ３の第２動作検証モードにおける検出値データとを比較して、デジタルカメラ３が正常状態又は異常状態のいずれかにあるかを判定する。なお、第１動作検証モード及び第２動作検証モードにおける検出値データを取得する順番はこの例に限るものではなく、第２動作検証モードにおける検出値データから先に取得してもよい。
【００４１】
このようにして第１及び第２動作検証モードにおけるデジタルカメラ３の検出値データを取得し、この検出値データに基づく判定処理を終えると、その判定結果をＬＣＤ７６に表示する。この判定結果から作業者はデジタルカメラ３の不良状態を容易に知ることが可能となるともに、無線タグを用いて検出値データを非接触で読み出しているので、デジタルカメラ３を分解したり、内部を露呈させたりするといった手間の掛かる処理を行なう必要がない。またさらにデジタルカメラ３では、電源印加時、電源オン状態、及び電源オン状態後の動作状態と、複数段階の状態で各部の電圧値・電流値を検出して検出値データを取得しているので、デジタルカメラ３がどのレベルの不良状態なのか詳細に知ることができる。
【００４２】
上記実施形態においては、デジタルカメラ（電子機器）を動作検証モードで動作させて、この動作検証モードのときに各部から検出された電圧値及び電流値の検出値データを取得し、この検出値データに基づいて正常及び異常いずれかの判定を行なう構成としているが本発明はこれに限るものではなく、以下で説明する本発明の第２実施形態では、デジタルカメラ（電子機器）を通常の状態で使用している際に各部の電圧値及び電流値を監視して異常検出値が検出されたときに、この異常検出値を継続保持できる状態で無線タグに出力し、動作検証モードを行なうことなく異常検出値を読み出すことが可能な構成を例に上げる。この第２実施形態を適用した不良検出システムは、図９に示すデジタルカメラ（電子機器）と、パーソナルコンピュータ（不良判定装置）（外部機器）とからなる。なお、パーソナルコンピュータとしては上記第１の実施形態と同様のものを使用するので、本実施形態では説明を省略する。また、図９に示すデジタルカメラ８０では、上記第１実施形態と同様の部品を使用するものについては同符号を付して説明を省略する。
【００４３】
デジタルカメラ８０は、ＣＰＵ８１、撮像機能部６、電圧電流検出部７、無線タグ８２からなる。無線タグ８２は、ＩＣチップ８３及びアンテナ５７からなる。ＩＣチップ８３には、プロセサ８５、メモリ（記憶領域）５８、及び送受信回路５９とともに、出力保持回路としてのフリップフロップ回路（出力保持手段）８８が設けられている。このフリップフロップ回路８８は、初期設定では信号を発信しないリセット状態となっており、検出部７によって検出された各部の電圧値及び電流値の検出値データが異常検出値であると判定されたとき、フリップフロップ回路８８がセット状態となって異常検出値を継続保持するようになる。
【００４４】
上記構成の作用について、図１０〜１２に示すフローチャートを参照して説明する。先ずデジタルカメラ８０の各部に電力が印加される電源印加状態から、各部が起動状態となって電源オン状態となるまでの間に各部の負荷に掛かる電圧値及び電流値を監視するシーケンスを図１０に沿って説明する。ユーザーが撮像モードなど通常の使用モードでデジタルカメラ３を使用するときには先ず電源スイッチをオン側に操作すると、電源印加状態となって電圧電流検出部７が起動する。電圧電流検出部７は、各部の負荷に掛かる電圧値及び電流値を監視する。
【００４５】
電圧電流検出部７によって検出された各部の電圧値及び電流値の検出値データは順次無線タグ８２へと送信されていく、無線タグ８２のプロセサ８１では、これらの検出値データを予め設定された基準値データと比較して、正常及び異常いずれかの判定を行い、そしてこの判定処理によって異常検出値であると判定されたときには、フリップフロップ回路８８にそのデータを出力する。フリップフロップ回路８８が異常検出値を受信すると、フリップフロップ回路８８はセット状態となり、異常検出値を継続保持する。
【００４６】
デジタルカメラ３の各部が起動して動作可能な電源オン状態になると、電圧電流検出部７が各部の負荷に掛かる電圧値及び電流値を監視する。電源オン状態となった後、電圧電流検出部７で検出された各部の電圧値及び電流値は、電源印加時と同様に順次無線タグ８２へと送信され、正常及び異常の判定処理が行なわれ、異常検出値であると判定されたときには、フリップフロップ回路８８にそのデータを出力し、フリップフロップ回路８８はセット状態となって異常検出値を継続保持する。
【００４７】
次に電源オン状態となった後、撮影モードなどでデジタルカメラ３を使用して動作状態となっているときに各部の負荷に掛かる電圧値及び電流値を監視するシーケンスを図１１に沿って説明する。電源オン状態となって各機構が駆動を開始した後、電圧電流検出部７が各部の負荷に掛かる電圧値及び電流値の監視を開始する。
【００４８】
そして、電圧電流検出部７で検出された各部の電圧値及び電流値は、順次無線タグ８２へと送信され、正常及び異常いずれかの判定処理が行なわれ、異常検出値であると判定されたときには、フリップフロップ回路８８にその値を出力し、フリップフロップ回路８８はセット状態となって異常検出値を継続保持する。このようにしてデジタルカメラ３では、その使用毎に各部の電圧値・電流値の不良検出値を行なって、検出値データが異常と判定されたときには、その異常検出値を継続保持する処理を繰り返す。
【００４９】
次に、作業者がパーソナルコンピュータ（不良判定装置）（外部機器）４を操作してデジタルカメラ８０から検出された検出値データを取得、及びこの検出値データに基づく判定処理をするときのシーケンスを図１２に示すフローチャートに沿って説明する。なお、これらの処理を行なうとき、作業者は先ず、操作部７７を操作して検出値データを取得するための入力を行なう。
【００５０】
そして、検出値データの取得を入力すると、比較用の基準値データをシステムメモリ７８から読み出す。そして、この基準値データの読み出しを終えると、ＣＰＵ７１は送受信回路７３を制御して検出値データをデジタルカメラ３に要求する制御信号をアンテナ７２から発信させる。そして、デジタルカメラ３は無線タグ８のアンテナ５７により制御信号を受信する。無線タグ８２のプロセサ８１は、コンピュータ４からの制御信号を受けると、電圧値及び電流値の検出値データをフリップフロップ回路８８で継続保持された信号から読み出し、この検出値データに基づく信号をアンテナ５７から送信する。コンピュータ４は、この信号を受信してデジタルカメラ８０の検出値データを取得する。そして先程読み出した基準値データと、デジタルカメラ３の検出値データとを比較して、デジタルカメラ３が正常状態又は異常状態のいずれかにあるかを判定する。
【００５１】
上述のように、デジタルカメラ８０では、通常の使用中に異常検出値を検出し、その値をフリップフロップ回路（出力保持手段）８８に出力しているので、動作検証モードなどでデジタルカメラ８０を動作させて不良検出を行なう必要がなく、不良の懸念がある際には即、コンピュータ（外部機器）４によってデジタルカメラ８０で検出された検出値データを取得することができ、この検出値データに基づいて判定処理を行なうことができる。
【００５２】
なお、上記実施形態においては、電子機器としてデジタルカメラを例に上げて説明しているが、本発明はこれに限るものではなく、バッテリから各部へ電力を供給して駆動制御を行い、その電力供給ラインから電流値・電圧値を検出可能な構成を持つ電子機器であれば他のどのようなものでもよく、例えば携帯電話や、プリンタ、パーソナルコンピュータなどに本発明を適用してもよい。
【図面の簡単な説明】
【００５３】
【図１】不良検出システムの外観図である。
【図２】本発明の第１実施形態を適用したデジタルカメラの電気的構成を示すブロック図である。
【図３】本発明の第１実施形態を適用した不良判定装置の電気的構成を示すブロック図である。
【図４】電流検出回路の構成を示すブロック図である。
【図５】電圧検出回路の構成を示すブロック図である。
【図６】電源印加時から電源オン状態時までの不良検出を行なう第１動作検証モード時のシーケンスを示すフローチャートである。
【図７】電源オン状態後の不良検出を行なう第２動作検証モード時のシーケンスを示すフローチャートである。
【図８】本発明の第１実施形態を適用した不良判定装置がデジタルカメラの検出値データを取得するときのシーケンスを示すフローチャートである。
【図９】本発明の第２実施形態を適用したデジタルカメラの電気的構成を示すブロック図である。
【図１０】電源印加時から電源オン状態時までの不良検出及び異常検出値の出力を行なうときのシーケンスを示すフローチャートである。
【図１１】電源オン状態後の不良検出及び異常検出値の出力を行なうときのシーケンスを示すフローチャートである。
【図１２】本発明の第２実施形態を適用した不良判定装置がデジタルカメラの検出値データを取得するときのシーケンスを示すフローチャートである。
【符号の説明】
【００５４】
３，８０  デジタルカメラ（電子機器）
４  コンピュータ（不良判定装置）（外部機器）
８，８２  無線タグ
９  電圧電流検出部（検出手段）
５６，８３  ＩＣチップ
５７  アンテナ
５８  メモリ
５９  送受信回路
６０，８５  プロセサ
７１  ＣＰＵ（制御手段）
７３  送受信回路
８８  フリップフロップ回路（出力保持手段）
【図１】
2007024843.tif 000003
【図２】
2007024843.tif 000004
【図３】
2007024843.tif 000005
【図４】
2007024843.tif 000006
【図５】
2007024843.tif 000007
【図６】
2007024843.tif 000008
【図７】
2007024843.tif 000009
【図８】
2007024843.tif 000010
【図９】
2007024843.tif 000011
【図１０】
2007024843.tif 000012
【図１１】
2007024843.tif 000013
【図１２】
2007024843.tif 000014